(57)【要約】    【課題】  全系が小型で、広画角で広角端から望遠端に至る全ズーム範囲にわたり良好なる光学性能を有するズームレンズを得ること。    【解決手段】  物体側から像側へ順に配置された、負の屈折力の第１レンズ群、正の屈折力の第２レンズ群を有し、ズーミングに際して隣り合うレンズ群の間隔が変化するズームレンズにおいて、広角端に比べ望遠端において、前記第１レンズ群と前記第２レンズ群の間隔が小さくなるように、ズーミングに際して前記第１レンズ群および前記第２レンズ群は移動し、広角端におけるバックフォーカスＢＦｗ、広角端における前記ズームレンズの焦点距離ｆｗ、前記第１レンズ群の光軸上の長さＤ１、前記第１レンズ群の焦点距離ｆ１を各々適切に設定すること。【選択図】    図１
2019184733.tif 000002
【特許請求の範囲】
【請求項１】
物体側から像側へ順に配置された、負の屈折力の第１レンズ群、正の屈折力の第２レンズ群を有し、ズーミングに際して隣り合うレンズ群の間隔が変化するズームレンズにおいて、
広角端に比べ望遠端において、前記第１レンズ群と前記第２レンズ群の間隔が小さくなるように、ズーミングに際して前記第１レンズ群および前記第２レンズ群は移動し、
広角端におけるバックフォーカスをＢＦｗ、広角端における前記ズームレンズの焦点距離をｆｗ、前記第１レンズ群の光軸上の長さをＤ１、前記第１レンズ群の焦点距離をｆ１とするとき、
０．５０＜ＢＦｗ／ｆｗ＜２．４０
２．０＜Ｄ１／｜ｆ１｜＜１０．０
なる条件式を満足することを特徴とするズームレンズ。
【請求項２】
広角端における前記ズームレンズのレンズ全長をＬｗとするとき、
５．０＜Ｌｗ／ｆｗ＜１８．０
なる条件式を満足することを特徴とする請求項１に記載のズームレンズ。
【請求項３】
前記第１レンズ群は１枚以上の負レンズを有し、前記第１レンズ群に含まれる少なくとも１枚の負レンズＮＬの材料のアッベ数をνｄ＿ＮＬとするとき、
νｄ＿ＮＬ＞６０
なる条件式を満足することを特徴とする請求項１または２に記載のズームレンズ。
【請求項４】
前記第１レンズ群は、中心から周辺にかけて正の屈折力が強くなる非球面形状のレンズ面ＡＬ１を有することを特徴とする請求項１乃至３のいずれか１項に記載のズームレンズ。
【請求項５】
前記レンズ面ＡＬ１は、前記第１レンズ群の最も物体側のレンズ面であることを特徴とする請求項４に記載のズームレンズ。
【請求項６】
前記第２レンズ群の像側に隣接して配置された正の屈折力の第３レンズ群を有することを特徴とする請求項１乃至５のいずれか１項に記載のズームレンズ。
【請求項７】
前記第３レンズ群の像側に配置された正の屈折力の第４レンズ群を有することを特徴とする請求項６に記載のズームレンズ。
【請求項８】
前記第３レンズ群の像側に配置された負の屈折力の第４レンズ群を有することを特徴とする請求項６に記載のズームレンズ。
【請求項９】
無限遠から近距離へのフォーカシングに際して前記第２レンズ群は物体側へ移動することを特徴とする請求項６乃至８のいずれか１項に記載のズームレンズ。
【請求項１０】
前記第２レンズ群は物体側から像側へ順に配置された正の屈折力の第２ａレンズ部、正の屈折力の第２ｂレンズ部より構成され、無限遠から近距離へのフォーカシングに際して前記第２ａレンズ部は像側へ移動することを特徴とする請求項１乃至５のいずれか１項に記載のズームレンズ。
【請求項１１】
請求項１乃至１０のいずれか１項に記載のズームレンズと、該ズームレンズによって形成された像を受光する撮像素子を有することを特徴とする撮像装置。
【請求項１２】
広角端のズーム位置において、前記撮像素子の撮像面の光軸から最も離れた位置に入射する主光線の光軸とのなす角をωｗとするとき、
ωｗ＞５５
なる条件式を満足することを特徴とする請求項１１に記載の撮像装置。
【発明の詳細な説明】
【技術分野】
【０００１】
本発明はズームレンズ及びそれを有する撮像装置に関し、特にスチルカメラ、ビデオカメラ、デジタルスチルカメラそして監視用カメラ等の撮像装置の撮像光学系として好適なものである。
【背景技術】
【０００２】
近年、一眼レフカメラやレンズ交換式ミラーレスカメラやビデオカメラ等の撮像装置は高機能化され、また、装置全体が小型化されている。そして、それに用いる撮像レンズ（撮像光学系）はレンズ全長（第１レンズの物体側の面から像面までの距離）が短く、小型であることが要求されている。撮像光学系の中でも、たとえば撮像半画角が５５度以上の撮像画角を有する広画角のズームレンズとして、負の屈折力のレンズ群が先行するネガティブリードのズームレンズが知られている（特許文献１、２）。
【０００３】
特許文献１では、物体側から像側へ順に、負、正、正の屈折力の第１レンズ群乃至第三レンズ群を有する広画角のズームレンズが開示されている。特許文献２では、物体側から像側へ順に、負、正の屈折力の第１レンズ群、第２レンズ群よりなる広画角のズームレンズが開示されている。
【先行技術文献】
【特許文献】
【０００４】
【特許文献１】特開２０１２−１９４２３８号公報
【特許文献２】特開２０１５−２２５１４５号公報
【発明の概要】
【発明が解決しようとする課題】
【０００５】
ネガティブリード型のズームレンズは、全系の小型化を図りつつ、広画角化を図るのが比較的容易である。しかしながらネガティブリード型のズームレンズは、レンズ構成が開口絞りに対して非対称な配置となるため、像面湾曲や歪曲などの収差が多く発生し、これらの収差補正が難しくなる。特に撮像画角が１００度を超えるような広画角域を含むズームレンズは、前述の諸収差が多く発生してくる。
【０００６】
ネガティブリード型のズームレンズにおいて、全系の小型化と、広画角を確保しつつ全ズーム範囲にわたり高い光学性能を得るには、ズームレンズを構成する各レンズ群を適切に設定することが重要である。例えば、前玉有効径（第１レンズ群の有効径）を小さくしつつ、全系の小型化を図りつつ、広画角化を図るには、第１レンズ群の負の屈折力を強くすれば良い。
【０００７】
しかしながら、第１レンズ群の負の屈折力を強くすると、広角域での倍率色収差や歪曲といった諸収差が増大し、これらの諸収差の補正が困難になってくる。又、ズーミングに伴う諸収差の変動が増大し、全ズーム範囲、及び画面全体にわたり高い光学性能を得るのが大変難しくなってくる。
【０００８】
本発明は、全系が小型で、広画角で広角端から望遠端に至る全ズーム範囲にわたり良好なる光学性能を有するズームレンズ及びそれを有する撮像装置の提供を目的とする。
【課題を解決するための手段】
【０００９】
本発明のズームレンズは、物体側から像側へ順に配置された、負の屈折力の第１レンズ群、正の屈折力の第２レンズ群とを有し、ズーミングに際して隣り合うレンズ群の間隔が変化するズームレンズにおいて、
広角端に比べ望遠端において、前記第１レンズ群と前記第２レンズ群の間隔が小さくなるように、ズーミングに際して前記第１レンズ群および前記第２レンズ群は移動し、
広角端におけるバックフォーカスをＢＦｗ、広角端における全系の焦点距離をｆｗ、前記第１レンズ群の光軸上の長さ（第１レンズ群の最も物体側のレンズ面から第１レンズ群の最も像側のレンズ面までの光軸上の長さ）をＤ１、前記第１レンズ群の焦点距離をｆ１とするとき、
０．５０＜ＢＦｗ／ｆｗ＜２．４０
２．０＜Ｄ１／｜ｆ１｜＜１０．０
なる条件式を満足することを特徴としている。
【発明の効果】
【００１０】
本発明によれば、全系が小型で、広画角で広角端から望遠端に至る全ズーム範囲にわたり良好なる光学性能を有するズームレンズが得られる。
【図面の簡単な説明】
【００１１】
【図１】実施例１の（ａ）広角端、（ｂ）望遠端におけるレンズ断面図
【図２】実施例１の（ａ）広角端、（ｂ）望遠端における縦収差図
【図３】実施例２の（ａ）広角端、（ｂ）望遠端におけるレンズ断面図
【図４】実施例２の（ａ）広角端、（ｂ）望遠端における縦収差図
【図５】実施例３の（ａ）広角端、（ｂ）望遠端におけるレンズ断面図
【図６】実施例３の（ａ）広角端、（ｂ）望遠端における縦収差図
【図７】実施例４の（ａ）広角端、（ｂ）望遠端におけるレンズ断面図
【図８】実施例４の（ａ）広角端、（ｂ）望遠端における縦収差図
【図９】実施例５の（ａ）広角端、（ｂ）望遠端におけるレンズ断面図
【図１０】実施例５の（ａ）広角端、（ｂ）望遠端における縦収差図
【図１１】実施例６の（ａ）広角端、（ｂ）望遠端におけるレンズ断面図
【図１２】実施例６の（ａ）広角端、（ｂ）望遠端における縦収差図
【図１３】本発明の撮像装置の要部概略図
【発明を実施するための形態】
【００１２】
以下に、本発明の好ましい実施の形態を、添付の図面に基づいて詳細に説明する。本発明のズームレンズは、物体側から像側へ順に配置された、負の屈折力の第１レンズ群、正の屈折力の第２レンズ群とを有し、ズーミングに際して隣り合うレンズ群の間隔が変化する。
【００１３】
図１（ａ）、（ｂ）は本発明の実施例１のズームレンズの広角端（短焦点距離端）、望遠端（長焦点距離端）におけるレンズ断面図である。図２（ａ）、（ｂ）はそれぞれ実施例１のズームレンズの広角端、望遠端における収差図である。実施例１はズーム比２．２６、開口比（Ｆナンバー）４．１２、撮像半画角６４．５４度〜４２．８８度程度のズームレンズである。
【００１４】
図３（ａ）、（ｂ）は本発明の実施例２のズームレンズの広角端、望遠端におけるレンズ断面図である。図４（ａ）、（ｂ）はそれぞれ実施例２のズームレンズの広角端、望遠端における収差図である。実施例２はズーム比２．２６、開口比４．１２、撮像半画角６４．５４度〜４２．８８度程度のズームレンズである。
【００１５】
図５（ａ）、（ｂ）は本発明の実施例３のズームレンズの広角端、望遠端におけるレンズ断面図である。図６（ａ）、（ｂ）はそれぞれ実施例３のズームレンズの広角端、望遠端における収差図である。実施例３はズーム比２．２６、開口比４．１２、撮像半画角６４．５４度〜４２．８８度程度のズームレンズである。
【００１６】
図７（ａ）、（ｂ）は本発明の実施例４のズームレンズの広角端、望遠端におけるレンズ断面図である。図８（ａ）、（ｂ）はそれぞれ実施例４のズームレンズの広角端、望遠端における収差図である。実施例４はズーム比２．２６、開口比４．１２、撮像半画角６４．５４度〜４２．８８度程度のズームレンズである。
【００１７】
図９（ａ）、（ｂ）は本発明の実施例５のズームレンズの広角端、望遠端におけるレンズ断面図である。図１０（ａ）、（ｂ）はそれぞれ実施例５のズームレンズの広角端、望遠端における収差図である。実施例５はズーム比２．２６、開口比４．１２、撮像半画角６４．５４度〜４２．８８度程度のズームレンズである。
【００１８】
図１１（ａ）、（ｂ）は本発明の実施例６のズームレンズの広角端、望遠端におけるレンズ断面図である。図１２（ａ）、（ｂ）はそれぞれ実施例６のズームレンズの広角端、望遠端における収差図である。実施例６はズーム比１．８９、開口比４．１２、撮像半画角６０．２６度〜４２．８８度程度のズームレンズである。図１３は本発明のズームレンズを備える撮像装置の要部概略図である。
【００１９】
各実施例のズームレンズは、デジタルスチルカメラ、ビデオカメラ等の撮像装置に用いられる撮像光学系である。レンズ断面図において、左方が物体側（前方）で、右方が像側（後方）である。尚、各実施例のズームレンズは投射装置（プロジェクタ）用の投射光学系として用いることもできる。このときは左方がスクリーン、右方が被投射面となる。レンズ断面図においてＢｉは第ｉレンズ群である。Ｂ１は負の屈折力（光学的パワー＝焦点距離の逆数）の第１レンズ群である。Ｂ２は正の屈折力の第２レンズ群である。ＳＰは開口絞り、ＳＳＰはフレアーカット絞りである。
【００２０】
ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２１】
球面収差図において、実線ｄはｄ線（波長５８７．６ｎｍ）、２点鎖線ｇはｇ線（波長４３５．８ｎｍ）である。非点収差図において点線ΔＭはｄ線のメリディオナル像面、実線ΔＳはｄ線のサジタル像面を表している。歪曲はｄ線について示している。また、倍率色収差は、ｄ線を基準とした際のｇ線の差分を表している。ＦｎｏはＦナンバーである。ωは撮像半画角（度）である。
【００２２】
尚、以下の各実施例において広角端と望遠端は変倍用レンズ群が機構上、光軸上移動可能な両端に位置したときのズーム位置をいう。レンズ断面図において、矢印は広角端から望遠端へのズーミングに際しての各レンズ群の移動軌跡を示している。フォーカスに関する矢印は無限遠から近距離へフォーカスするときのレンズ群の移動方向を示している。
【００２３】
各実施例のズームレンズは、物体側から像側へ順に配置された、負の屈折力の第１レンズ群と、正の屈折力の第２レンズ群とを有する。ズーミングに際して隣り合うレンズ群の間隔が変化する。広角端に比べて望遠端において、第１レンズ群と第２レンズ群の間隔が狭い。
【００２４】
第１レンズ群Ｂ１は、物体側から像側へ順に、物体側に凸面を向けたメニスカス形状の負レンズＧ１、物体側に凸面を向けたメニスカス形状の負レンズＧ２、物体側に凸面を向けたメニスカス形状である負レンズＧ３を有する。負レンズＧ１、負レンズＧ２、負レンズＧ３の３枚のメニスカス形状の負レンズを物体側に配置することによって、広い撮像画角の光線を取り込んでいる。また、３つの負レンズＧ１、Ｇ２、Ｇ３がいずれも物体側に凸面を向けたメニスカス形状として、広角端において歪曲収差の発生を軽減している。
【００２５】
このように、第１レンズ群Ｂ１の物体側から像側へ順に配置した３枚の負レンズが、いずれも物体側に凸面を向けたメニスカス形状とすることで、高い光学性能を有しつつ広画角化を容易にしている。
【００２６】
各実施例では、広角端に比べ望遠端において、第１レンズ群Ｂ１と第２レンズ群Ｂ２の間隔が小さくなるように、ズーミングに際して第１レンズ群Ｂ１および第２レンズ群Ｂ２が互いに異なった軌跡で移動する。
【００２７】
広角端におけるバックフォーカスをＢＦｗ、広角端におけるズームレンズ（全系）の焦点距離をｆｗ、第１レンズ群Ｂ１の光軸上の長さをＤ１、第１レンズ群Ｂ１の焦点距離をｆ１とする。このとき、
０．５０＜ＢＦｗ／ｆｗ＜２．４０    ・・・（１）
２．０＜Ｄ１／｜ｆ１｜＜１０．０    ・・・（２）
なる条件式を満足する。
【００２８】
次に前述の各条件式の技術的意味について説明する。条件式（１）は、広角端におけるバックフォーカスと全系の焦点距離との比の適切な範囲を規定している。条件式（１）の上限値を超えてバックフォーカスが長くなりすぎると、レンズ全長が長くなり、全系の小型化が困難になる。また、条件式（１）の下限値を超えてバックフォーカスが短くなりすぎると、最も像側の最終レンズの有効径が大きくなり、全系の小型化が困難になる。
【００２９】
条件式（２）は、第１レンズ群Ｂ１の光軸上の長さと第１レンズ群Ｂ１の焦点距離との比の適切な範囲を規定している。非常に広い画角の光線を取り込み、像面に導くためには、第１レンズ群Ｂ１には多くのレンズ面を有する必要がある。また、広画角のズームにおいては第１レンズ群Ｂ１で軸外光線の入射高が高くなるため、第１レンズ群Ｂ１内で倍率色収差や歪曲収差などの軸外収差の発生が増大し、これらの諸収差を軽減するためにも、第１レンズ群Ｂ１は適切な厚さを有する必要がある。
【００３０】
条件式（２）の上限値を超えて第１レンズ群Ｂ１の光軸上の長さが長くなると、全系の小型化が困難になる。一方、条件式（２）の下限値を超えて第１レンズ群Ｂ１の負の屈折力が弱くなると（負の屈折力の絶対値が小さくなると）、広画角化が困難になる。従って、条件式（１）および（２）を満たすことで、全系が小型でかつ高い光学性能を有する、広画角のズームレンズを得ている。
【００３１】
各実施例において、更に好ましくは次の条件式を１つ以上満足するのがよい。広角端におけるズームレンズのレンズ全長をＬｗとする。ここでレンズ全長とは第１レンズ面から像面までの距離である。第１レンズ群Ｂ１は１枚以上の負レンズを有し、第１レンズ群Ｂ１に含まれる少なくとも１枚の負レンズＮＬの材料のアッベ数をνｄ＿ＮＬとする。
【００３２】
各実施例のズームレンズと、ズームレンズによって形成された像を受光する撮像素子を有する撮像装置では、広角端のズーム位置において、撮像素子の撮像面の光軸から最も離れた位置に入射する主光線の光軸とのなす角をωｗとする。このとき、次の条件式のうち１つ以上を満足するのが良い。
【００３３】
５．０＜Ｌｗ／ｆｗ＜１８．０    ・・・（３）
νｄ＿ＮＬ＞６０                ・・・（４）
ωｗ＞５５                      ・・・（５）
【００３４】
次に前述の各条件式の技術的意味について説明する。条件式（３）は、広角端におけるレンズ全長と、広角端における全系の焦点距離の比の適切な範囲を規定している。条件式（３）の上限値を超えて広角端におけるレンズ全長が長くなると、全系の小型化が困難になる。条件式（３）の下限値を超えて広角端におけるレンズ全長が短くなると、全系の小型化は容易になるが、各レンズ群の屈折力が強くなりすぎ、広角端から望遠端への全ズーム範囲において像面湾曲や倍率色収差等の諸収差を小さく抑えることが困難になる。
【００３５】
条件式（４）は、第１レンズ群Ｂ１に含まれる少なくとも１枚の負レンズＮＬの材料のアッベ数を規定する。条件式（４）の下限値を下回ると、広角端において倍率色収差の補正が困難になり、好ましくない。条件式（５）は、広角端における撮像半画角を規定する。条件式（５）の下限値を下回ると、全系の広角化が困難になる。
【００３６】
更に好ましくは条件式（１）乃至（５）の数値範囲を次の如く設定するのが良い。
０．８０＜ＢＦｗ／ｆｗ＜２．２０    ・・・（１ａ）
２．０５＜Ｄ１／｜ｆ１｜＜８．００  ・・・（２ａ）
７．０＜Ｌｗ／ｆｗ＜１７．０        ・・・（３ａ）
νｄ＿ＮＬ＞６２                    ・・・（４ａ）
ωｗ＞５７                          ・・・（５ａ）
【００３７】
更に好ましくは条件式（１ａ）乃至（５ａ）の数値範囲を次の如く設定するのが良い。
１．００＜ＢＦｗ／ｆｗ＜２．１０    ・・・（１ｂ）
２．０６＜Ｄ１／｜ｆ１｜＜５．００  ・・・（２ｂ）
１０．０＜Ｌｗ／ｆｗ＜１６．０      ・・・（３ｂ）
νｄ＿ＮＬ＞６６                    ・・・（４ｂ）
ωｗ＞６０                          ・・・（５ｂ）
【００３８】
各実施例のズームレンズは、第１レンズ群Ｂ１内に非球面形状を有するレンズ面ＡＬ１を有することが好ましい。この非球面形状は、中心から周辺にかけて、正の屈折力が強くなる（もしくは、負の屈折力が弱くなる）のが良い。このような非球面形状を第１レンズ群Ｂ１内に有すると、広角端における歪曲収差を低減することが容易になる。さらに好ましくは、レンズ面ＡＬ１は、ズームレンズの最も物体側のレンズ面であることが好ましい。
【００３９】
以上のように各実施例では、全系が小型でかつ高い光学性能を有する、広画角のズームレンズを得ている。
次に各実施例のズームレンズのレンズ構成について説明する。
【００４０】
［実施例１］
実施例１のズームレンズは、物体側から像側へ順に配置された、負の屈折力の第１レンズ群Ｂ１、正の屈折力の第２レンズ群Ｂ２を有する。更に第２レンズ群Ｂ２に隣接して正の屈折力の第３レンズ群Ｂ３、正の屈折力の第４レンズ群Ｂ４で構成される。第２レンズ群Ｂ２はフォーカスレンズ群であり、無限遠から至近へのフォーカシングに際し、物体側から像側へ移動する。
【００４１】
広角端から望遠端へのズーミングに際し、第１レンズ群Ｂ１は像側に凸状の軌跡を描きながら移動し、第２レンズ群Ｂ２および第３レンズ群Ｂ３は単調に物体側へ移動する。第４レンズ群Ｂ４はズーミングに際して不動である。また、広角端から望遠端へのズーミングに際し、第１レンズ群Ｂ１と第２レンズ群Ｂ２の間隔は狭まり、第２レンズ群Ｂ２と第３レンズ群Ｂ３の間隔は狭まり、第３レンズ群Ｂ３と第４レンズ群Ｂ４の間隔は広がる。
【００４２】
［実施例２］
実施例２のズームレンズは、物体側から像側へ順に配置された、負の屈折力の第１レンズ群Ｂ１、正の屈折力の第２レンズ群Ｂ２を有する。更に第２レンズ群Ｂ２に隣接して正の屈折力の第３レンズ群Ｂ３で構成される。第２レンズ群Ｂ２はフォーカスレンズ群であり、無限遠から至近へのフォーカシングに際し、物体側から像側へ移動する。
【００４３】
広角端から望遠端へのズーミングに際し、第１レンズ群Ｂ１は像側に凸状の軌跡を描きながら移動し、第２レンズ群Ｂ２および第３レンズ群Ｂ３は単調に物体側へ移動する。広角端から望遠端へのズーミングに際し、第１レンズ群Ｂ１と第２レンズ群Ｂ２の間隔および第２レンズ群Ｂ２と第３レンズ群Ｂ３の間隔は狭まる。
【００４４】
［実施例３］
実施例３のズームレンズは、物体側から像側へ順に配置された、負の屈折力の第１レンズ群Ｂ１、正の屈折力の第２レンズ群Ｂ２を有する。更に第２レンズ群Ｂ２に隣接して正の屈折力の第３レンズ群Ｂ３、負の屈折力の第４レンズ群Ｂ４で構成される。第２レンズ群Ｂ２がフォーカスレンズ群であり、無限遠から至近へのフォーカシングに際し、物体側から像側へ移動する。
【００４５】
広角端から望遠端へのズーミングに際し、第１レンズ群Ｂ１は像側に凸状の軌跡を描きながら移動し、第２レンズ群Ｂ２および第３レンズ群Ｂ３は単調に物体側へ移動する。第４レンズ群Ｂ４はズーミングに際して不動である。また、広角端から望遠端へのズーミングに際し、第１レンズ群Ｂ１と第２レンズ群Ｂ２の間隔は狭まり、第２レンズ群Ｂ２と第３レンズ群Ｂ３の間隔は狭まり、第３レンズ群Ｂ３と第４レンズ群Ｂ４の間隔は広がる。
【００４６】
［実施例４］
実施例４のズームレンズは、物体側から像側へ順に配置された、負の屈折力の第１レンズ群Ｂ１、正の屈折力の第２レンズ群Ｂ２、正の屈折力の第３レンズ群Ｂ３、正の屈折力の第４レンズ群Ｂ４で構成される。第２レンズ群Ｂ２はフォーカスレンズ群であり、無限遠から至近へのフォーカシングに際し、物体側から像側へ移動する。
【００４７】
広角端から望遠端へのズーミングに際し、第１レンズ群Ｂ１は像側に凸状の軌跡を描きながら移動し、第２レンズ群Ｂ２および第３レンズ群Ｂ３は単調に物体側へ移動する。第４レンズ群Ｂ４はズーミングに際して不動である。また、広角端から望遠端へのズーミングに際し、第１レンズ群Ｂ１と第２レンズ群Ｂ２の間隔は狭まり、第２レンズ群Ｂ２と第３レンズ群Ｂ３の間隔は狭まり、第３レンズ群Ｂ３と第４レンズ群Ｂ４の間隔は広がる。
【００４８】
［実施例５］
実施例５のズームレンズは、物体側から像側へ順に配置された、負の屈折力の第１レンズ群Ｂ１、正の屈折力の第２レンズ群Ｂ２、正の屈折力の第３レンズ群Ｂ３で構成される。第２レンズ群Ｂ２はフォーカスレンズ群であり、無限遠から至近へのフォーカシングに際し、物体側から像側へ移動する。
【００４９】
広角端から望遠端へのズーミングに際し、第１レンズ群Ｂ１は像側に凸状の軌跡を描きながら移動し、第２レンズ群Ｂ２および第３レンズ群Ｂ３は単調に物体側へ移動する。広角端から望遠端へのズーミングに際し、第１レンズ群Ｂ１と第２レンズ群Ｂ２の間隔および第２レンズ群Ｂ２と第３レンズ群Ｂ３の間隔は狭まる。
【００５０】
［実施例６］
実施例６のズームレンズは、物体側から像側へ順に配置された、負の屈折力の第１レンズ群Ｂ１、正の屈折力の第２レンズ群Ｂ２で構成される。第２レンズ群Ｂ２は物体側から像側へ順に配置された、第２ａレンズ部と第２ｂレンズ部の２つのレンズ部を有する。具体的には正の屈折力の第２ａレンズ部Ｂ２ａ、正の屈折力の第２ｂレンズ部Ｂ２ｂで構成される。第２ａレンズ部Ｂ２ａがフォーカスレンズ部であり、無限遠から至近へのフォーカシングに際し、物体側から像側へ移動する。なお、第２ａレンズ部Ｂ２ａと第２ｂレンズ部Ｂ２ｂの間隔はズーミングに際して一定である。
【００５１】
広角端から望遠端へのズーミングに際し、第１レンズ群Ｂ１は像側に凸状の軌跡を描きながら移動し、第２レンズ群Ｂ２は単調に物体側へ移動する。広角端から望遠端へのズーミングに際し、第１レンズ群Ｂ１と第２レンズ群Ｂ２の間隔は狭まる。
【００５２】
次に本発明のズームレンズを撮像光学系として用いたデジタルカメラ（撮像装置）の実施形態を図１３で説明する。図１３において、２０はデジタルカメラ本体、２１は上述の各実施例のズームレンズによって構成された撮像光学系である。２２は撮像光学系２１によって被写体像（像）を受光するＣＣＤ等の撮像素子（光電変換素子）、２３は撮像素子２２が受光した被写体像を記録する記録手段である。２４は不図示の表示素子に表示された被写体像を観察するためのファインダーである。
【００５３】
上記表示素子は液晶パネル等によって構成され、撮像素子２２上に形成された被写体像が表示される。このように本発明のズームレンズをデジタルカメラ等の撮像装置に適用することにより、小型で高い光学性能を有する撮像装置を実現している。
【００５４】
以上、本発明の好ましい実施形態について説明したが、本発明はこれらの実施形態に限定されず、その要旨の範囲内で種々の変形および変更が可能である。たとえば、本実施例は防振レンズ群を有していないが、光学系内の全てのレンズ群もしくは一部のレンズ群を防振レンズ群としても良い。
【００５５】
またフォーカシングに関しても、本実施例においては１つのレンズ群でフォーカシングを行っているが、複数のレンズ群を異なる軌跡で移動するような方式（フローティング・フォーカシング方式）でも構わない。また、屈折光学素子（いわゆるレンズ）だけでなく、回折光学素子を有した光学系であっても良いし、反射光学部材を含む光学系であっても構わない。
【００５６】
次に本発明の各実施例の数値データを示す。各数値データにおいてｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれ第ｉ番目のレンズの材料のｄ線に対する屈折率、アッベ数を示す。
【００５７】
アッベ数νｄはフラウンフォーファー線のｇ線（波長４３５．８ｎｍ），Ｆ線（４８６．１ｎｍ），ｄ線（５８７．６ｎｍ），Ｃ線（６５６．３ｎｍ）に対する材料の屈折率をそれぞれＮｇ，ＮＦ，Ｎｄ，ＮＣとする。このとき、アッベ数νｄを、
νｄ＝（Ｎｄ−１）／（ＮＦ−ＮＣ）
として表す。
【００５８】
ＢＦはバックフォーカスであり、レンズ最終面（最も像側のレンズ面）から像面までの距離を空気換算長により表記した長さである。レンズ全長は、レンズ最前面（第１レンズ面）からレンズ最終面までの光軸上の距離にバックフォーカスを加えた長さである。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０、Ａ１２、Ａ１４を各々非球面係数としたとき、
【００５９】
【数１】
2019184733.tif 000003
【００６０】
なる式で表している。また［ｅ−Ｘ］は［×１０−Ｘ］を意味している。非球面は面番号の後に＊を付加して示す。また、各光学面の間隔dが（可変）となっている部分は、ズーミングに際して変化するものである。また前述の各条件式と数値データの関係を表１に示す。 
【００６１】
［数値データ１］
面データ
面番号       r        d      nd         νd       有効径
1*       148.910    3.50   1.77250    49.6       84.00
2         33.301   12.14                         62.59
3         45.473    3.20   1.85400    40.4       58.76
4*        35.979    3.78                         48.32
5         35.839    2.80   1.85400    40.4       46.47
6*        21.390    5.83                         37.11
7         35.657    2.00   1.95906    17.5       36.01
8         19.083    9.66                         29.97
9        -51.112    1.30   1.53775    74.7       29.88
10         29.928    0.15                         29.10
11         28.887    6.57   1.85478    24.8       29.27
12       -181.295  (可変)                         28.66
13(絞り)    ∞       1.00                         17.56
14         19.556    1.00   2.00069    25.5       18.80
15         13.463    6.94   1.65160    58.5       18.05
16        -32.677    0.64                         17.85
17        -29.508    1.00   1.88300    40.8       17.54
18         15.989    4.37   1.84666    23.8       17.64
19       -366.695  (可変)                         17.71
20          ∞       0.00                         18.28
21         21.751    1.00   1.95375    32.3       20.01
22         12.653    5.74   1.59522    67.7       19.42
23         72.654    0.15                         20.05
24         20.593    8.45   1.43875    94.9       22.01
25        -22.353    0.15                         22.11
26*      1502.818    1.00   1.85400    40.4       20.86
27         14.366    5.35   1.49700    81.5       20.34
28         71.915  (可変)                         21.13
29        -22.552    1.80   1.85478    24.8       27.60
30        -50.351    0.15                         31.51
31       -122.838    7.20   1.59522    67.7       33.50
32        -27.095   12.00                         35.12
像面        ∞   
【００６２】
非球面データ
第1面
K  = 0.00000e+000  A 4= 6.72681e-006  A 6=-4.93403e-009 
A 8= 3.92095e-012  A10=-1.70058e-015  A12= 3.90513e-019  
第4面
K  = 7.88570e-001  A 4=-2.45094e-006  A 6= 3.51685e-008 
A 8=-1.12274e-010  A10= 2.49809e-013  A12=-2.99118e-016 
A14= 9.35114e-020  
第6面
K  = 0.00000e+000  A 4= 9.15412e-006  A 6=-7.47527e-008 
A 8= 8.91733e-011  
第26面
K  = 0.00000e+000  A 4=-4.29139e-005  A 6=-4.62758e-008 
A 8= 1.38302e-010  A10= 2.50678e-012  
各種データ
ズーム比      2.26 
広角     中間     望遠
焦点距離      10.30    14.94    23.30  
Fナンバー      4.12     4.12     4.12  
半画角（度）  64.54    55.38    42.88  
像高          21.64    21.64    21.64  
レンズ全長   156.50   145.83   144.37  
BF            12.00    12.00    12.00  
d12           33.73    17.55     5.17  
d19            6.33     4.45     2.59  
d28            7.56    14.96    27.73  
レンズ群データ
群  始面    焦点距離  レンズ構成長  前側主点位置  後側主点位置
1    1     -15.91        50.94        13.65        -26.75
2   13      55.46        14.95        -2.98        -11.65
3   20      47.51        21.84        -5.38        -17.49
4   29     67218.01         9.15       8985.53        10365.59
単レンズデータ
レンズ  始面  焦点距離
1       1    -56.27
2       3   -238.88
3       5    -68.22
4       7    -45.49
5       9    -34.91
6      11     29.58
7      14    -47.04
8      15     15.56
9      17    -11.62
10      18     18.19
11      21    -33.52
12      22     24.85
13      24     25.99
14      26    -16.99
15      27     35.04
16      29    -49.26
17      31     56.81
【００６３】
［数値データ２］
面データ
面番号       r        d      nd         νd       有効径
1*       158.729    3.50   1.58913    61.1       74.57
2         29.126    8.54                         54.74
3         36.860    3.00   1.85400    40.4       52.77
4*        23.852    8.31                         40.91
5         42.641    1.90   1.95375    32.3       39.09
6         17.123   11.67                         29.66
7        -53.096    1.40   1.43875    94.7       28.99
8         24.373    0.15                         27.34
9         24.377    6.43   1.69895    30.1       27.38
10       -181.295  (可変)                         26.72
11(絞り)    ∞       1.00                         16.36
12         18.634    0.80   2.00069    25.5       17.42
13         13.095    6.03   1.58913    61.1       16.81
14        -24.704    0.62                         16.74
15        -22.913    0.80   1.90043    37.4       16.44
16         19.118    3.91   1.84666    23.8       16.88
17        -92.700  (可変)                         17.09
18          ∞       0.00                         17.56
19         20.729    0.90   1.88300    40.8       19.44
20         14.086    5.22   1.49700    81.5       19.11
21         78.998    1.00   1.74100    52.6       19.76
22         31.274    0.15                         20.23
23         21.962    7.96   1.43875    94.9       21.74
24        -22.588    0.15                         22.26
25         26.560    7.71   1.43875    94.9       21.49
26        -17.679    1.00   1.88300    40.8       20.74
27        113.702    1.98                         21.15
28        -42.907    1.20   1.85400    40.4       21.20
29*       -69.753  (可変)                         22.15
像面        ∞   
【００６４】
非球面データ
第1面
K  = 0.00000e+000  A 4= 1.20979e-005  A 6=-1.33749e-008 
A 8= 1.31549e-011  A10=-6.85499e-015  A12= 1.76441e-018  
第4面
K  =-4.93336e-001  A 4= 1.44172e-005  A 6= 1.30146e-008 
A 8=-1.92171e-010  A10= 8.47403e-013  A12=-1.36882e-015 
A14= 6.39635e-019  
第29面
K  = 0.00000e+000  A 4= 3.81691e-005  A 6= 2.81578e-009 
A 8= 8.23053e-010  A10=-6.42955e-012  A12= 1.80682e-014  
各種データ
ズーム比      2.26 
広角     中間     望遠
焦点距離      10.30    14.94    23.30  
Fナンバー      4.12     4.12     4.12  
半画角（度）  64.54    55.37    42.88  
像高          21.64    21.64    21.64  
レンズ全長   138.50   131.12   132.41  
BF            20.19    27.74    41.15  
d10           28.69    14.34     3.11  
d17            4.29     3.71     2.81  
d29           20.19    27.74    41.15
レンズ群データ
群  始面    焦点距離  レンズ構成長  前側主点位置  後側主点位置
1    1     -17.10        44.90        11.15        -27.67
2   11      64.36        13.16        -1.93        -10.10
3   18      45.88        27.27        -9.98        -22.61
単レンズデータ
レンズ  始面  焦点距離
1       1    -61.16
2       3    -88.55
3       5    -31.13
4       7    -37.86
5       9     31.14
6      12    -47.45
7      13     15.44
8      15    -11.47
9      16     19.02
10      19    -53.15
11      20     33.59
12      21    -70.49
13      23     26.84
14      25     25.55
15      26    -17.27
16      28   -133.29
【００６５】
［数値データ３］
面データ
面番号       r        d      nd         νd       有効径
1*       140.597    3.50   1.77250    49.6       84.00
2         34.025   13.21                         63.95
3         49.148    3.20   1.85400    40.4       59.88
4*        32.554    3.90                         47.44
5         34.252    2.80   1.85400    40.4       45.67
6*        22.143    3.42                         37.05
7         26.769    2.00   1.95906    17.5       36.11
8         17.004   11.17                         29.66
9        -48.272    1.30   1.49700    81.5       29.54
10         25.344    0.15                         28.18
11         24.929    6.96   1.75520    27.5       28.30
12       -181.295  (可変)                         27.61
13(絞り)    ∞       1.00                         16.83
14         20.782    1.00   2.00100    29.1       17.89
15         12.427    5.92   1.76385    48.5       17.16
16        -37.947    0.62                         16.99
17        -33.903    1.00   1.90043    37.4       16.68
18         15.229    3.80   1.84666    23.8       16.50
19        266.981  (可変)                         16.49
20          ∞       0.00                         16.90
21         20.388    1.00   1.95375    32.3       18.60
22         12.409    5.28   1.53775    74.7       18.14
23         74.497    0.15                         18.93
24         20.403    8.00   1.43875    94.9       20.94
25        -19.889    0.15                         21.15
26*      1159.650    1.00   1.85400    40.4       19.97
27         14.795    5.06   1.49700    81.5       19.76
28         61.160  (可変)                         20.68
29        -25.036    1.50   1.85478    24.8       28.05
30        -56.601    6.01   1.62299    58.2       31.39
31        -24.366   12.00                         33.11
像面        ∞   
【００６６】
非球面データ
第1面
K  = 0.00000e+000  A 4= 6.91999e-006  A 6=-5.03792e-009 
A 8= 4.10220e-012  A10=-1.90751e-015  A12= 4.67814e-019  
第4面
K  = 5.21399e-001  A 4= 1.83230e-006  A 6= 2.04765e-008 
A 8=-9.09722e-011  A10= 1.84852e-013  A12=-1.86138e-016 
A14= 1.66752e-020  
第6面
K  = 0.00000e+000  A 4= 6.54521e-006  A 6=-4.58649e-008 
A 8= 6.73608e-011  
第26面
K  = 0.00000e+000  A 4=-4.96518e-005  A 6=-9.81464e-008 
A 8= 4.07959e-010  A10= 1.25223e-012  
各種データ
ズーム比      2.26 
広角     中間     望遠
焦点距離      10.30    14.91    23.30  
Fナンバー      4.12     4.12     4.12  
半画角（度）  64.54    55.42    42.88  
像高          21.64    21.64    21.64  
レンズ全長   149.00   138.88   137.50  
BF            12.00    12.00    12.00  
d12           31.21    15.46     3.14  
d19            5.14     3.90     2.73  
d28            7.55    14.42    26.54  
レンズ群データ
群  始面    焦点距離  レンズ構成長  前側主点位置  後側主点位置
1    1     -16.36        51.61        13.71        -27.50
2   13      52.01        13.33        -3.70        -10.92
3   20      46.10        20.64        -4.13        -16.01
4   29    -1213.66         7.51      -143.70       -168.10
単レンズデータ
レンズ  始面  焦点距離
1       1    -58.95
2       3   -123.91
3       5    -82.09
4       7    -54.02
5       9    -33.24
6      11     29.45
7      14    -32.85
8      15     12.91
9      17    -11.56
10      18     18.94
11      21    -35.41
12      22     26.89
13      24     24.43
14      26    -17.56
15      27     37.89
16      29    -53.70
17      30     64.09
【００６７】
［数値データ４］
面データ
面番号       r        d      nd         νd       有効径
1*        78.022    3.50   1.65160    58.5       82.00
2*        20.912   19.60                         53.97
3         41.385    2.80   1.85400    40.4       47.15
4*        33.699    5.00                         38.68
5         49.096    1.90   2.00069    25.5       36.77
6         18.190    9.49                         28.87
7        -47.936    1.40   1.43875    94.7       28.77
8         24.670    0.15                         27.55
9         24.683    6.75   1.72825    28.5       27.62
10       -181.295  (可変)                         26.92
11(絞り)    ∞       1.00                         17.27
12         21.338    0.90   2.00069    25.5       18.40
13         14.201    6.36   1.71700    47.9       17.81
14        -39.539    2.50                         17.60
15        -28.172    0.90   1.90366    31.3       16.41
16         25.825    2.87   1.92286    18.9       16.52
17      -4151.440  (可変)                         16.56
18          ∞       0.00                         17.51
19         23.972    1.00   1.90043    37.4       19.02
20         13.091    4.90   1.59522    67.7       18.84
21         49.872    0.15                         19.51
22         20.577    7.55   1.43875    94.7       21.55
23        -25.845    0.15                         21.82
24*       130.595    1.00   1.85400    40.4       21.24
25         15.477    5.62   1.49700    81.5       21.04
26        140.912  (可変)                         21.91
27        -36.065    1.60   1.95375    32.3       29.94
28       -100.859    0.15                         32.50
29      -1946.720    7.57   1.48749    70.2       34.13
30        -30.846   12.00                         35.58
像面        ∞   
【００６８】
非球面データ
第1面
K  = 0.00000e+000  A 4= 1.04786e-005  A 6=-1.20292e-008 
A 8= 9.15265e-012  A10=-3.99926e-015  A12= 8.53227e-019  
第2面
K  =-4.80530e-001  A 4= 1.03925e-005  A 6= 5.91597e-009 
A 8= 6.09734e-012  A10=-2.83551e-014  A12=-2.32616e-017  
第4面
K  = 0.00000e+000  A 4= 6.88196e-006  A 6=-5.20051e-008 
A 8= 3.98749e-010  A10=-1.10429e-012  A12= 1.36141e-015  
第24面
K  = 0.00000e+000  A 4=-3.49568e-005  A 6=-5.41561e-008 
A 8= 1.20125e-010  A10= 1.39174e-012  
各種データ
ズーム比      2.26 
広角     中間     望遠
焦点距離      10.30    14.99    23.30  
Fナンバー      4.12     4.12     4.12  
半画角（度）  64.54    55.29    42.88  
像高          21.64    21.64    21.64  
レンズ全長   150.46   141.61   142.30  
BF            12.00    12.00    12.00  
d10           30.83    15.17     3.24  
d17            5.08     3.92     2.82  
d26            7.76    15.72    29.44  
レンズ群データ
群  始面    焦点距離  レンズ構成長  前側主点位置  後側主点位置
1    1     -15.77        50.60        13.05        -27.48
2   11      51.82        14.52        -5.99        -13.87
3   18      45.41        20.36        -1.30        -14.03
4   27     1941.14         9.32       199.17        215.24
単レンズデータ
レンズ  始面  焦点距離
1       1    -44.93
2       3   -255.31
3       5    -29.79
4       7    -36.91
5       9     30.25
6      12    -45.29
7      13     15.33
8      15    -14.79
9      16     27.82
10      19    -33.49
11      20     28.41
12      22     27.47
13      24    -20.64
14      25     34.47
15      27    -59.58
16      29     64.21
【００６９】
［数値データ５］
面データ
面番号       r        d      nd         νd       有効径
1*        86.706    3.50   1.58913    61.1       75.00
2*        28.500   16.17                         57.86
3         52.910    2.50   1.88300    40.8       48.44
4         19.676    6.00                         34.08
5         31.339    1.90   1.77250    49.6       32.86
6         16.649    9.74                         27.07
7        -52.063    1.40   1.43875    94.7       26.38
8         21.706    0.15                         24.66
9         21.556    6.01   1.66565    35.6       24.71
10       -181.295  (可変)                         24.02
11(絞り)    ∞       1.00                         16.64
12         18.807    0.80   2.00069    25.5       17.81
13         13.070    6.27   1.57250    57.7       17.17
14        -24.463    0.54                         17.16
15        -23.902    0.80   1.90043    37.4       16.90
16         19.332    3.81   1.92119    24.0       17.45
17       -209.970  (可変)                         17.63
18          ∞       0.00                         18.03
19         17.586    0.90   1.91082    35.3       20.69
20         14.147    6.25   1.49700    81.5       20.10
21       -189.024    0.15                         20.27
22         20.325    1.00   1.88300    40.8       20.55
23         12.448    9.05   1.43875    94.7       19.22
24        -21.807    0.15                         19.32
25        -30.032    5.27   1.49700    81.5       18.97
26        -11.489    1.20   1.77250    49.6       18.92
27        -56.793    0.22                         20.90
28        -52.820    1.50   1.85400    40.4       20.95
29*      -161.845  (可変)                         22.02
像面        ∞   
【００７０】
非球面データ
第1面
K  = 0.00000e+000  A 4= 1.32608e-005  A 6=-1.96827e-008 
A 8= 1.91310e-011  A10=-9.51436e-015  A12= 2.21845e-018  
第2面
K  =-2.16265e-001  A 4= 1.06842e-005  A 6=-3.88464e-009 
A 8=-5.48411e-011  A10= 9.90361e-014  A12=-5.57043e-017  
第29面
K  = 0.00000e+000  A 4= 3.69516e-005  A 6=-1.41972e-008 
A 8= 2.96805e-010  A10=-3.84306e-012  A12= 1.06932e-014  
各種データ
ズーム比      2.26 
広角     中間     望遠
焦点距離      10.30    14.93    23.30  
Fナンバー      4.12     4.12     4.12  
半画角（度）  64.54    55.39    42.88  
像高          21.64    21.64    21.64  
レンズ全長   137.00   131.48   134.45  
BF            20.76    28.56    42.46  
d10           25.48    12.84     3.00  
d17            4.49     3.80     2.72  
d29           20.76    28.56    42.46
レンズ群データ
群  始面    焦点距離  レンズ構成長  前側主点位置  後側主点位置
1    1     -15.80        47.36        14.49        -26.05
2   11      72.02        13.22        -3.03        -10.97
3   18      39.55        25.69        -9.89        -21.55
単レンズデータ
レンズ  始面  焦点距離
1       1    -73.71
2       3    -36.77
3       5    -48.73
4       7    -34.71
5       9     29.29
6      12    -46.03
7      13     15.84
8      15    -11.77
9      16     19.37
10      19    -90.74
11      20     26.76
12      22    -38.68
13      23     19.64
14      25     34.21
15      26    -18.86
16      28    -92.40
【００７１】
［数値データ６］
面データ
面番号       r        d      nd         νd       有効径
1*       146.279    3.50   1.58913    61.1       72.05
2         28.338    5.70                         52.71
3         32.070    3.00   1.85400    40.4       51.15
4*        25.658    8.77                         42.29
5         44.567    1.90   1.95375    32.3       40.54
6         17.934   12.10                         31.06
7        -57.657    1.40   1.43875    94.7       30.53
8         29.329    0.15                         29.36
9         27.892    6.51   1.69895    30.1       29.49
10       -181.295  (可変)                         28.90
11          ∞       7.94                         13.94
12(絞り)    ∞       1.00                         16.12
13         18.184    0.80   2.00069    25.5       16.97
14         12.619    5.94   1.58913    61.1       16.32
15        -23.657    0.59                         16.20
16        -22.248    0.80   1.90043    37.4       15.87
17         18.721    3.97   1.84666    23.8       16.78
18       -133.085    4.29                         17.54
19          ∞       0.00                         20.93
20         20.233    0.90   1.88300    40.8       23.79
21         15.474    9.87   1.49700    81.5       23.04
22        -25.466    0.15                         23.25
23         31.305    8.28   1.43875    94.9       21.47
24        -15.915    1.00   1.88300    40.8       20.15
25         69.906    1.87                         20.50
26        -55.832    1.20   1.85400    40.4       20.57
27*       -91.093  (可変)                         21.37
像面        ∞   
【００７２】
非球面データ
第1面
K  = 0.00000e+000  A 4= 1.12141e-005  A 6=-1.05607e-008 
A 8= 9.48511e-012  A10=-4.37430e-015  A12= 1.05908e-018  
第4面
K  =-6.60458e-001  A 4= 1.12403e-005  A 6= 4.55459e-008 
A 8=-2.53780e-010  A10= 7.73217e-013  A12=-9.44920e-016 
A14= 3.30501e-019  
第27面
K  = 0.00000e+000  A 4= 3.67999e-005  A 6= 3.46843e-008 
A 8= 3.48927e-010  A10=-4.09546e-012  A12= 1.26140e-014  
各種データ
ズーム比      1.89 
広角     中間     望遠
焦点距離      12.36    14.94    23.30  
Fナンバー      4.12     4.12     4.12  
半画角（度）  60.26    55.38    42.88  
像高          21.64    21.64    21.64  
レンズ全長   138.50   133.67   130.79  
BF            22.49    26.06    37.65  
d10           24.37    15.97     1.50  
d27           22.49    26.06    37.65
レンズ群データ
群  始面    焦点距離  レンズ構成長  前側主点位置  後側主点位置
1    1     -20.84        43.03         9.82        -27.96
2   11      28.89        48.61         4.43        -23.53
単レンズデータ
レンズ  始面  焦点距離
1       1    -60.32
2       3   -191.53
3       5    -32.60
4       7    -44.09
5       9     35.03
6      13    -44.40
7      14     14.87
8      16    -11.19
9      17     19.62
10      20    -81.77
11      21     21.05
12      23     25.41
13      24    -14.60
14      26   -171.58
【００７３】
【表１】
2019184733.tif 000004
【符号の説明】
【００７４】
Ｂ１  第１レンズ群      Ｂ２  第２レンズ群      Ｂ３  第３レンズ群
Ｂ４  第４レンズ群
【図１】
2019184733.tif 000005
【図２】
2019184733.tif 000006
【図３】
2019184733.tif 000007
【図４】
2019184733.tif 000008
【図５】
2019184733.tif 000009
【図６】
2019184733.tif 000010
【図７】
2019184733.tif 000011
【図８】
2019184733.tif 000012
【図９】
2019184733.tif 000013
【図１０】
2019184733.tif 000014
【図１１】
2019184733.tif 000015
【図１２】
2019184733.tif 000016
【図１３】
2019184733.tif 000017